(57)【要約】【課題】軸筒前方の密閉性だけでなく、軸筒後方の密閉性にも優れる構造の開閉蓋付のノック式筆記具を提供する。【解決手段】ノック部材に、ノックカバーを装着した状態で該ノックカバーの前端より突出する第一大径部と、ノック体を軸筒に配設した状態で軸筒の内側に位置する第二大径部と、ノック部材の後端に位置しノックカバーとの接触で変形する薄肉の第三大径部とを形成すると共に、第二大径部と第三大径部とがノックカバーの内面に密接するようノックカバーをノック部材に装着し、且つ第一大径部に形成した溝部に弾性を有するＯリングを装着し、スプリングで弾発された筆記体でノック部材を後方へ押圧してＯリングを軸筒の後部内面に当接させ軸筒後方を密閉する。【選択図】  図３
2007118347.tif 000002
【特許請求の範囲】
【請求項１】
軸筒の前方部に押えバネと該押えバネにより弾発された蓋体とを配設し、前記軸筒の後方部に両端が開口した筒状の樹脂材からなるノック部材と該ノック部材に装着した有底の薄肉の金属材からなるノックカバーとを備えたノック体を配設し、前記軸筒の内部にインク貯蔵部を備え該軸筒内部に配設したスプリングにより後方へ弾発された筆記体を収容して成し、前記ノック体をノック操作することにより、前記軸筒の内部に収容した筆記体を前進させ該筆記体の筆記先端で蓋体を開放して該筆記先端を軸筒より突出させ、前記ノック体を再操作することにより、前記スプリングの弾発力で前記筆記体を後退させ筆記先端を軸筒内に没入させると共に前記押えバネの弾発力で前記蓋体を閉じて該軸筒の前方部を密閉する構造の開閉蓋付きのノック式筆記具において、前記ノック部材に、前記ノックカバーを装着した状態で該ノックカバーの前端より突出する第一大径部と、前記ノック体を軸筒に配設した状態で該軸筒の内側に位置する第二大径部と、該ノック部材の後端に位置し前記ノックカバーとの接触で変形する薄肉の第三大径部とを形成すると共に、該第二大径部と第三大径部とが前記ノックカバーの内面に密接するよう該ノックカバーを前記ノック部材に装着し、且つ前記第一大径部に形成した溝部に弾性を有するＯリングを装着し、前記スプリングで弾発された筆記体で前記ノック部材を後方へ押圧して前記Ｏリングを前記軸筒の後部内面に当接させ軸筒後方を密閉する構造を特徴とした開閉蓋付のノック式筆記具。
【発明の詳細な説明】
【技術分野】
【０００１】
本発明は、軸筒の内部に筆記体を収容し前方を開閉可能な蓋体により密閉する構造の筆記具に関する。
【背景技術】
【０００２】
従来より、軸筒の前方に蓋体を設けることでインクの乾燥防止や埃の侵入を防止する構造の筆記具は知られており、一般的には軸筒の後方に設けたノック体のノック操作を行うことにより筆記体を前方移動させ筆記先端で蓋体を押し開き、軸筒から筆記先端を突出させて筆記可能状態とする構造としている。この様な構造が記載されたものとして実開昭５８−３９８８９号公報がある。実開昭５８−３９８８９号記載の万年筆では軸筒前方の弾性先首に蓋体を密接させることにより軸筒前方を密閉する構造としている。
【０００３】
【特許文献１】実開昭５８−３９８８９号
【発明の開示】
【発明が解決しようとする課題】
【０００４】
しかしながら、前記実開昭５８−３９８８９号公報記載の筆記具に見られるように、従来構造では、軸筒前方の密閉構造に比べ、軸筒後方のノック機構部の密閉構造には配慮が少なく、筆記体に貯蔵したインクが蒸発してしまう不安があった。
【０００５】
本発明はこうした事実に鑑み、軸筒前方の密閉性だけでなく、軸筒後方の密閉性にも優れる構造の開閉蓋付のノック式筆記具を提供することを目的とする。
【課題を解決するための手段】
【０００６】
本発明の上記課題は以下の手段により解決される。すなわち、本発明は、
「軸筒の前方部に押えバネと該押えバネにより弾発された蓋体とを配設し、前記軸筒の後方部に両端が開口した筒状の樹脂材からなるノック部材と該ノック部材に装着した有底の薄肉の金属材からなるノックカバーとを備えたノック体を配設し、前記軸筒の内部にインク貯蔵部を備え該軸筒内部に配設したスプリングにより後方へ弾発された筆記体を収容して成し、前記ノック体をノック操作することにより、前記軸筒の内部に収容した筆記体を前進させ該筆記体の筆記先端で蓋体を開放して該筆記先端を軸筒より突出させ、前記ノック体を再操作することにより、前記スプリングの弾発力で前記筆記体を後退させ筆記先端を軸筒内に没入させると共に前記押えバネの弾発力で前記蓋体を閉じて該軸筒の前方部を密閉する構造の開閉蓋付きのノック式筆記具において、前記ノック部材に、前記ノックカバーを装着した状態で該ノックカバーの前端より突出する第一大径部と、前記ノック体を軸筒に配設した状態で該軸筒の内側に位置する第二大径部と、該ノック部材の後端に位置し前記ノックカバーとの接触で変形する薄肉の第三大径部とを形成すると共に、該第二大径部と第三大径部とが前記ノックカバーの内面に密接するよう該ノックカバーを前記ノック部材に装着し、且つ前記第一大径部に形成した溝部に弾性を有するＯリングを装着し、前記スプリングで弾発された筆記体で前記ノック部材を後方へ押圧して前記Ｏリングを前記軸筒の後部内面に当接させ軸筒後方を密閉する構造を特徴とした開閉蓋付のノック式筆記具」である。
【発明の効果】
【０００７】
本発明によれば、筆記体を軸筒の内部に収容した際に、ノック体に付設したＯリングが軸筒の後部内面に当接するので、軸筒後方の密閉性が向上する。また、ノック体の装飾性を向上させるノックカバーとそれを装着するノック部材とは、第二大径部と第三大径部の２箇所で密接するので、一方の密接具合に不具合が生じても他の一方で補うことができ、密閉性が向上する。また、ノック部材の第二大径部は軸筒の内側の位置となるので、ノックカバーが第二大径部の密接により変形してしまっても、変形部が露出して外観を損ねることはない。また、ノック部材の第三大径部はノックカバーとの接触により変形する薄肉としたので、ノックカバーの変形を防げる。
【発明を実施するための最良の形態】
【０００８】
本発明を理解し易くするために図を用いて説明を行なう。本実施の形態例の筆記具は、ペン先を筆記体の先端に備えた開閉蓋付のノック式万年筆である。尚、本実施の形態例では、ペン先がある方を前方と表現し反対側を後方と表現する。図１は本実施の形態例の万年筆の縦断面図である。万年筆１は、前軸２と後軸３とを螺合した軸筒４の後方部にノック体５を配設し、内部に筆記先端６１の後方にインク貯蔵部６２を備えた筆記体６を収容している。前軸２の前方部には先端開口２１ａを有する先端カバー２１を固設し一体としてある。また、先端カバー２１の内側となる前軸２の前方部には中空パイプ７を装着してあり、中空パイプ７の前方には弾性を有し前後が開口する弾性先首８を装着し、弾性先首８の前端傾斜面８１を押えバネ９により弾発された蓋体１０で密閉してある。尚、筆記体６は前軸２の内部に配設したスプリング１１により後方へ弾発してある。
【０００９】
図２は、図１の前部拡大図である。本実施の形態例では押えバネとして捻りコイルバネを使用している。押えバネ９は、第一アーム９１を蓋体１０の係止部１０ａに係止してあり、コイル部９２を蓋体１０の支持部１０ｂと共に中空パイプ７に固設した軸棒７１で軸着してあり、第二アーム９３を中空パイプ７の側面に当接させている。
【００１０】
図３は、図１の後部拡大図である。後軸３の後端開口部３ａより突出したノック体５は、有底の薄肉の金属材からなるノックカバー１２を両端が開口した筒状の樹脂材からなるノック部材１３に装着してある。また、ノック部材１３の内部には、筆記体６の後端に当接したスライダ１４を摺動可能に配設してあり、スライダ１４とノック部材１３との間にはバネ１５を配設し双方が離間する方向へ付勢してある。尚、スライダ１４は後端に凸部１４ａを形成しノック部材１３の内面には凸部１３ａを形成して当接するようにしてある。また、ノック部材１３には、前端部に第一大径部１３ｂを形成し、ノック体５を軸筒４に配設した状態で後軸３の内側となる位置に第二大径部１３ｃを形成し、後端部に薄肉の第三大径部１３ｄを形成してある。図に示すようにノック部材１３とノックカバー１２とは、ノックカバー１２の内面１２ａにノック部材１３の第二大径部１３ｃと第三大径部１３ｄとが密接するように圧入してある。尚、ノックカバー１２を装着した状態でノック部材１３の第一大径部１３ｂはノックカバー１２の前端から突出している。また、ノック部材１３の第一大径部１３ｂの外面には円周上に溝部１３ｅを設けてあり、溝部１３ｅにはＯリング１６を装着してある。図に示すように、スプリング１１で弾発された筆記体６に当接したスライダ１４とバネ１５の付勢力によりノック体５が後退し、後軸４の後部内面４１にＯリング１６が密着した状態となっている。
【００１１】
図４は、ノック体をノック操作したときの後部拡大図である。図に示すようにノック操作を行うことにより、ノック体５とスライダ１４および筆記体６は前方移動し、スライダ１４に形成したカム部１４ｂが後軸３の内面に形成したカム斜面３ｂによって回転しカム斜面３ｂの先端に係止された。ノック体５は、バネ１５により後方へ付勢されているので、ノック部材１３の凸部１３ａがスライダ１４の凸部１４ａに当接するまで後方へ移動した。また、筆記体６はスライダ１４が後軸３のカム斜面３ｂに保持されているので筆記先端６１が軸筒４の前方より突出した状態を維持する（図３参照）。尚、本実施の形態例では、ノック操作の際にノック部材１３の最大径部１３ｆが軸筒４の内面に摺接するので、軸筒４の内面に弾性体であるＯリング１６が接触することはなく、ノック操作の妨げにはならない。
【００１２】
図５は、ノック体をノック操作したときの前部拡大図である。筆記体６の筆記先端６１の前方移動によって弾性先首８の前端傾斜面８１を密閉していた蓋体１０が開かれ、先端カバー２１の先端開口２１ａから筆記先端５２を突出させている。スプリング１１は前軸２の内面に形成した突部２ａと筆記体６の段部６３との間で圧縮される。
【００１３】
また、ノック体５を再操作した際には、軸筒後方において、スライダ１４が後軸３のカム斜面３ｂから外れて自由になり、スプリング１１の弾発力により筆記体６が後退してスライダ１４とノック体５とを後退させ、Ｏリング１６を再び軸筒４の後部内面４１に密着させて再び密閉する。また、軸筒前方においては、筆記体６の筆記先端６１の後退に伴い、押えバネ９の弾発力により蓋体１０が前端傾斜面８１を再び密閉する。
【産業上の利用可能性】
【００１４】
本発明の開閉蓋付のノック式筆記具は、万年筆以外にもマーカーやボールペンあるいは修正液や化粧具等の内部に液体を備えた塗布具に利用することが可能である。
【図面の簡単な説明】
【００１５】
【図１】本実施の形態例の万年筆の縦断面図である。
【図２】図１の前部拡大図である。
【図３】図１の後部拡大図である。
【図４】ノック体をノック操作したときの後部拡大図である。
【図５】ノック体をノック操作したときの前部拡大図である。
【符号の説明】
【００１６】
１…万年筆、２…前軸、２ａ…突部、２１…先端カバー、２１ａ…先端開口、
３…後軸、３ａ…後端開口部、３ｂ…カム斜面、
４…軸筒、４１…後部内面、５…ノック体、
６…筆記体、６１…筆記先端、６２…インク貯蔵部、６３…段部、
７…中空パイプ、７１…軸棒、８…弾性先首、８１…前端傾斜面、
９…押えバネ、９１…第一アーム、９２…コイル部、
１０…蓋体、１０ａ…係止部、１０ｂ…支持部、１１…スプリング、
１２…ノックカバー、
１３…ノック部材、１３ａ…凸部、１３ｂ…第一大径部、１３ｃ…第二大径部、
１３ｄ…第三大径部、１３ｅ…溝部、１３ｆ…最大径部、
１４…スライダ、１４ａ…凸部、１４ｂ…カム部、
１５…バネ、１６…Ｏリング。
【図１】
2007118347.tif 000003
【図２】
2007118347.tif 000004
【図３】
2007118347.tif 000005
【図４】
2007118347.tif 000006
【図５】
2007118347.tif 000007